(57)【要約】【課題】小型で、しかも、用紙サイズに応じて手差し用紙を印刷機構に案内できる読取・印刷装置の原稿トレイを得る。【解決手段】読取機構６に挿入される原稿３６が載置される原稿トレイ３４に原稿３６の紙幅方向を案内する原稿ガイド５４を設ける。また、印刷機構４に供給される手差し用紙６６の紙幅方向を案内する用紙サイドガイド７２を手動により紙幅方向に移動可能に原稿トレイ３４に設けた。原稿ガイド５４は原稿トレイ３４の原稿載置面側に設けられ、用紙サイドガイド７２は原稿載置面と反対側に設けた。原稿ガイド５４も手動により紙幅方向に移動可能で、原稿ガイド５４と用紙サイドガイド７２とは連動する。【選択図】  図１
2004166142.tif 000002
【特許請求の範囲】
【請求項１】
読取機構に挿入される原稿が載置される原稿トレイに前記原稿の紙幅方向を案内する原稿ガイドを設けた読取・印刷装置の原稿トレイにおいて、
印刷機構に供給される手差し用紙の紙幅方向を案内する用紙サイドガイドを手動により紙幅方向に移動可能に前記原稿トレイに設けたことを特徴とする読取・印刷装置の原稿トレイ。
【請求項２】
前記原稿ガイドは前記原稿トレイの原稿載置面側に設けられ、前記用紙サイドガイドは前記原稿載置面と反対側に設けられたことを特徴とする請求項１記載の読取・印刷装置の原稿トレイ。
【請求項３】
前記用紙サイドガイドに、前記手差し用紙の一方の面を案内する用紙面ガイドを形成したことを特徴とする請求項１又は請求項２記載の読取・印刷装置の原稿トレイ。
【請求項４】
前記原稿ガイドは手動により紙幅方向に移動可能であることを特徴とする請求項１ないし請求項３記載の読取・印刷装置の原稿トレイ。
【請求項５】
前記原稿ガイドと前記用紙サイドガイドとは連動することを特徴とする請求項４記載の読取・印刷装置の原稿トレイ。
【請求項６】
前記原稿ガイドと前記用紙サイドガイドとは一体に形成されていることを特徴とする請求項４記載の読取・印刷装置の原稿トレイ。
【請求項７】
前記手差し用紙が挿入可能で前記手差し用紙の載置面に通じる手差し口を前記原稿トレイに設けたことを特徴とする請求項１ないし請求項６記載の読取・印刷装置の原稿トレイ。
【請求項８】
前記原稿トレイの前記原稿載置面に前記手差し口を設けたことを特徴とする請求項７記載の読取・印刷装置の原稿トレイ。
【請求項９】
前記原稿トレイの非原稿載置面に前記手差し口を設けたことを特徴とする請求項７記載の読取・印刷装置の原稿トレイ。
【請求項１０】
前記用紙サイドガイドは、前記手差し用紙の幅方向における右側を案内する右側ガイドと、前記手差し用紙の幅方向における左側を案内する左側ガイドと、前記右側ガイドと前記左側ガイドとを連動させて移動させる連動機構とを備えたことを特徴とする請求項１ないし請求項９記載の読取・印刷装置の原稿トレイ。
【請求項１１】
請求項１ないし請求項１０のいずれかの前記原稿トレイと、読取機構と、印刷機構とを備えたことを特徴とする読取・印刷装置。
【請求項１２】
前記印刷機構の上部に読取機構が配置されており、前記原稿と前記手差し用紙との搬送方向が同方向であることを特徴とする請求項１１記載の読取・印刷装置。
【発明の詳細な説明】
【０００１】
【発明の属する技術分野】
本発明は、読取機構に挿入される原稿が載置される原稿トレイに原稿の紙幅方向を案内する原稿ガイドを設けた読取・印刷装置の原稿トレイ及びこの原稿トレイを有する読取・印刷装置に関する。
【０００２】
【従来の技術】
従来より、特許文献１にあるように、原稿トレイの原稿載置面を窪ませて手差しトレイを形成した装置が知られている。この装置では、手差しトレイの両側に段差部を配置して、段差部で手差し用紙の両側面を規制し、手差しトレイの先端側には差込口を設けて、差込口に連通する用紙搬送路を一対のガイド板により形成している。また、手差しトレイは原稿トレイの略２／３の範囲に形成し、残りの１／３を原稿トレイとして用いるようにしている。
【０００３】
【特許文献１】
特公平５−６２３３５号公報（第２頁、第２図、第３図）
【０００４】
【発明が解決しようとする課題】
しかしながら、こうした従来の装置では、原稿トレイに手差しトレイを形成するので、原稿トレイが大型化してしまい、また、段差部で手差し用紙の両側面を規制するので、異なるサイズの手差し用紙を用いる場合には、適切に規制できないという問題があった。
【０００５】
本発明の課題は、小型で、しかも、用紙サイズに応じて手差し用紙を印刷機構に案内できる読取・印刷装置の原稿トレイ及び読取・印刷装置を提供することにある。
【０００６】
【課題を解決するための手段】
かかる課題を達成すべく、本発明は課題を解決するため次の手段を取った。即ち、
読取機構に挿入される原稿が載置される原稿トレイに前記原稿の紙幅方向を案内する原稿ガイドを設けた読取・印刷装置の原稿トレイにおいて、
印刷機構に供給される手差し用紙の紙幅方向を案内する用紙サイドガイドを手動により紙幅方向に移動可能に前記原稿トレイに設けたことを特徴とする読取・印刷装置の原稿トレイがそれである。
【０００７】
前記原稿ガイドは前記原稿トレイの原稿載置面側に設けられ、前記用紙サイドガイドは前記原稿載置面と反対側に設けてもよい。また、前記用紙サイドガイドに、前記手差し用紙の一方の面を案内する用紙面ガイドを形成してもよい。更に、前記原稿ガイドは手動により紙幅方向に移動可能であってもよい。その際、前記原稿ガイドと前記用紙サイドガイドとは連動するようにしてもよい。あるいは、前記原稿ガイドと前記用紙サイドガイドとは一体に形成されていてもよい。
【０００８】
前記手差し用紙が挿入可能で前記手差し用紙の載置面に通じる手差し口を前記原稿トレイに設けてもよい。その際、前記原稿トレイの前記原稿載置面に前記手差し口を設けてもよい。あるいは、前記原稿トレイの非原稿載置面に前記手差し口を設けてもよい。
【０００９】
前記用紙サイドガイドは、前記手差し用紙の幅方向における右側を案内する右側ガイドと、前記手差し用紙の幅方向における左側を案内する左側ガイドと、前記右側ガイドと前記左側ガイドとを連動させて移動させる連動機構とを備えてもよい。
【００１０】
また、前述した原稿トレイと、読取機構と、印刷機構とを備えたことを特徴とする読取・印刷装置がある。更に、前記印刷機構の上部に読取機構が配置されており、前記原稿と前記手差し用紙との搬送方向が同方向であってもよい。
【００１１】
【発明の実施の形態】
以下本発明の実施の形態を図面に基づいて詳細に説明する。
図１に示すように、読取・印刷装置１の本体ケース２内には印刷機構４が配置されており、印刷機構４の上部には後述する原稿３６を移動させて読み取りを行う読取機構６が配置されている。本体ケース２の上側には、受話器８が載置されており、読取・印刷装置１は、電話機としての機能、ファクシミリとしての機能、複写機としての機能、プリンタとしての機能、読取機としての機能を有している。
【００１２】
本体ケース２の後側には、給紙トレイ１０が設けられており、給紙トレイ１０上の記録用紙１２は本体ケース２内に形成された印刷通路１４を通って印刷されて、本体ケース２の前側から排出されるように構成されている。この印刷通路１４に沿って、給紙トレイ１０の前方には供給ローラ１６が設けられ、供給ローラ１６により給紙トレイ１０上に積層された複数の記録用紙１２が１枚づつ印刷通路１４に引き込まれる。尚、給紙トレイ１０には、一対のガイド１５ａ，１５ｂが記録用紙１２の幅方向に手動により移動可能に配置されており、記録用紙１２の両側縁をガイドできるように構成されている。
【００１３】
供給ローラ１６の給紙先には、一対のローラ１８，２０が記録用紙１２を挟むように配置されており、一対のローラ１８，２０により記録用紙１２を印刷通路１４に沿って印刷ドラム２２に供給する。印刷ドラム２２と対向して転写ローラ２４が配置されており、印刷ドラム２２と転写ローラ２４とにより挟まれた記録用紙１２は、印刷通路１４に沿って加熱ローラ２６に供給される。
【００１４】
加熱ローラ２６と対向して加圧ローラ２８が配置されており、記録用紙１２は、加熱ローラ２６と加圧ローラ２８とにより挟まれて、印刷通路１４に沿って一対の排紙ローラ３０，３２に供給され、一対の排紙ローラ３０，３２により印刷通路１４から本体ケース２の外部に排紙されるように構成されている。
【００１５】
給紙トレイ１０の上方には、原稿トレイ３４が設けられており、原稿トレイ３４上に載置された原稿３６は本体ケース２内に形成された読取通路３８を通って読み取られ、本体ケース２の前側から排出されるように構成されている。この読取通路３８に沿って、原稿トレイ３４の前方にはセパレイションローラ４０が設けられ、セパレイションローラ４０により原稿トレイ３４上に積層された複数の原稿３６が１枚づつ読取通路３８に引き込まれる。
【００１６】
セパレイションローラ４０の供給先の読取通路３８には、一対の供給ローラ４２，４４と一対の排紙ローラ４６，４８が配置されている。供給ローラ４２，４４と排紙ローラ４６，４８との間にはイメージセンサ５０が配置されており、読取通路３８を通って供給される原稿３６をイメージセンサ５０が読み取り、排紙ローラ４６，４８により本体ケース２の外部に排出するように構成されている。
【００１７】
図２に示すように、原稿トレイ３４には、一対の原稿ガイド５２，５４が配置されている。一対の原稿ガイド５２，５４は原稿トレイ３４の原稿載置面３４ａからほぼ垂直に立設されて、原稿載置面３４ａに載置される原稿３６の幅方向の左右側縁に接触できるように構成されている。
【００１８】
原稿ガイド５２，５４は、原稿トレイ３４に原稿３６の幅方向に移動可能に支持されている。原稿ガイド５２，５４には、図３に示す連動機構５６が設けられており、連動機構５６は原稿トレイ３４に回転可能に支持された歯車５８を備え、歯車５８には一対のラック部材６０，６２が歯車５８の両側で噛合されている。
【００１９】
一対のラック部材６０，６２はそれぞれ原稿ガイド５２，５４に固定されており、例えば、左側の原稿ガイド５２を中心に向かって移動させると、右側の原稿ガイド５４もラック部材６０，６２、歯車５８を介して中心に向かって移動するように構成されている。
【００２０】
図２に示すように、原稿トレイ３４には、その先端側で原稿載置面３４ａに、手差し口６４が開口形成されている。手差し口６４は手差し用紙６６を原稿載置面３４ａと反対側に原稿トレイ３４を突き抜けて挿入できるように、ほぼ長方形に形成されている。図１に示すように、原稿載置面３４ａと反対側には、原稿トレイ３４と一体に手差しトレイ６８が設けられている。手差しトレイ６８は原稿トレイ３４の先端から、供給ローラ１６に向かって延出されている。
【００２１】
手差しトレイ６８は、手差し口６４から挿入された手差し用紙６６を印刷通路１４に向けて案内し、手差し用紙６６を供給ローラ１６により印刷通路１４に供給できるように形成されている。また、本実施形態では、原稿ガイド５２，５４は、その一部が手差し口６４に掛かるまで延出されている。
【００２２】
手差し口６４は、原稿載置面３４ａに開口形成する場合に限らず、図４に示すように、原稿トレイ３４の先端側を斜め下方に屈曲させて、非原稿載置面３４ｂを形成し、この非原稿載置面３４ｂに手差し口６４を開口形成してもよい。図３に示すように、手差しトレイ６８上には、手差しトレイ６８上の手差し用紙６６の幅方向における左側を案内する左側の用紙サイドガイド７０と、右側を案内する右側の用紙サイドガイド７２とが設けられている。用紙サイドガイド７０，７２は手差しトレイ６８とほぼ垂直に設けられている。
【００２３】
一対の用紙サイドガイド７０，７２は、本実施形態では、連動機構５６のラック部材６０，６２にそれぞれ一体的に固定されて原稿トレイ３４に設けられ、原稿ガイド５２，５４と一体的に、用紙サイドガイド７０，７２が手差し用紙６６の幅方向に移動可能に構成されている。
【００２４】
尚、用紙サイドガイド７０，７２はラック部材６０，６２に固定する場合に限らず、ラック部材６０，６２とは別に、原稿トレイ３４に手差し用紙６６の幅方向に移動可能に支持するようにしてもよい。そして、原稿ガイド５２，５４と一体的に移動するように連結してもよい。あるいは、原稿ガイド５２，５４と無関係に、用紙サイドガイド７０，７２を移動するように構成してもよい。
【００２５】
次に、前述した本実施形態の読取・印刷装置１の作動について説明する。
図１に示すように、印刷機構４では、給紙トレイ１０上に載置された記録用紙１２が、供給ローラ１６により印刷通路１４に１枚づづ供給される。印刷通路１４に供給された記録用紙１２は一対のローラ１８，２０を介して印刷ドラム２２に供給される。印刷ドラム２２では記録用紙１２に図示しないトナーが転写され、加熱ローラ２６で記録用紙１２に定着される。
【００２６】
そして、排紙ローラ３０，３２により印刷された記録用紙１２が排出される。本実施形態では、印刷通路１４の記録用紙１２及び手差し用紙６６の搬送方向と、読取通路３８の原稿３６の搬送方向とは、同方向で、共に、本体ケース２の後側から前側に向かって搬送される。
【００２７】
読取機構６では、原稿トレイ３４上に載置された原稿３６が、セパレイションローラ４０により読取通路３８に１枚づつ供給される。読取通路３８に供給された原稿３６は供給ローラ４２，４４と排紙ローラ４６，４８とにより読取通路３８を供給される間に、イメージセンサ５０により読み取りが行われてから、本体ケース２の外部に排出される。
【００２８】
原稿トレイ３４上に原稿３６が載置される際には、原稿３６の幅と一対の原稿ガイド５２，５４の間隔とが一致するように、原稿ガイド５２，５４が手動により移動されて調整される。これにより、原稿３６が読取通路３８に供給される際には、原稿３６の幅方向が原稿ガイド５２，５４により案内される。
【００２９】
一方、手差し用紙６６に印刷する場合には、手差し用紙６６を手差し口６４に挿入して、手差しトレイ６８に沿って、手差し用紙６６を差し込む。これにより、手差し用紙６６が供給ローラ１６により印刷通路１４に供給され、印刷ドラム２２でトナーが転写され、加熱ローラ２６で定着された後、手差し用紙６６は排紙ローラ３０，３２により排出される。
【００３０】
手差し用紙６６を差し込む際には、原稿ガイド５２，５４を手動により手差し用紙６６の幅方向に移動して、手差し用紙６６の幅と一対の用紙サイドガイド７０，７２の間隔とを合わせる。その際、用紙サイドガイド７０，７２は原稿載置面３４ａと反対側にあり、用紙サイドガイド７０，７２の位置が見難いが、用紙サイドガイド７０，７２は原稿ガイド５２，５４と一体的に移動するので、用紙サイドガイド７０，７２の位置は原稿ガイド５２，５４の位置から確認することができる。
【００３１】
よって、手差し用紙６６の幅と原稿ガイド５２，５４の間隔とを合わせると、手差し用紙６６の幅と用紙サイドガイド７０，７２の間隔とが一致し、容易に間隔を合わせることができる。また、用紙サイドガイド７０，７２を原稿トレイ３４に設けたので、給紙トレイ１０と原稿トレイ３４との間隔が狭くても、手差しトレイ６８、用紙サイドガイド７０，７２を配置することができ、小型化できる。
【００３２】
次に、前述した実施形態と異なる第２実施形態について、図５〜図７によって説明する。尚、前述した実施形態と同じ部材については同一番号を付して詳細な説明を省略する。
本第２実施形態では、一対の原稿ガイド１００，１０２を原稿トレイ１０４の先端から突出するように形成し、原稿トレイ１０４の原稿載置面１０４ａの反対側に突き出して、一対の原稿ガイド１００，１０２と一対の用紙サイドガイド１０６，１０８が一体に形成されている。
【００３３】
一対の用紙サイドガイド１０６，１０８には、それぞれ装置中心に向かってほぼ直角に折曲げられて、原稿トレイ１０４の原稿載置面１０４ａと反対側に、用紙面ガイド１１０，１１２が形成されている。用紙面ガイド１１０，１１２は、平坦に形成されると共に、両用紙面ガイド１１０，１１２に載置された手差し用紙６６が供給ローラ１６に向かって案内されて、印刷通路１４に供給できるように傾斜して形成されている。
【００３４】
本第２実施形態においても、原稿ガイド１００，１０２は連動機構５６（図３参照）のラック部材６０，６２にそれぞれ固定されている。原稿ガイド１００，１０２を手動により移動して、手差し用紙６６の幅方向と、用紙サイドガイド１０６，１０８の間隔とを合わせる。その際、連動機構５６により一方の原稿ガイド１００，１０２を移動すれば、他方の原稿ガイド１００，１０２も移動して、片方のみの移動で、装置中心に対して等間隔に調整できる。
【００３５】
そして、用紙サイドガイド１０６，１０８の間に手差し用紙６６を挿入して、用紙面ガイド１１０，１１２の上に載置する。これにより、手差し用紙６６はその幅方向が用紙サイドガイド１０６，１０８に案内され、上下方向では用紙面ガイド１１０，１１２に支えられて、供給ローラ１６に向かって案内される。そして、供給ローラ１６の回転により手差し用紙６６が印刷通路１４に供給されて、手差し用紙６６に印刷が行われる。
【００３６】
本第２実施形態によると、手差し口６４や手差しトレイ６８を設けることなく、手差し用紙６６挿入でき、簡単な構成で、小型化できる。
以上本発明はこの様な実施形態に何等限定されるものではなく、本発明の要旨を逸脱しない範囲において種々なる態様で実施し得る。
【００３７】
【発明の効果】
以上詳述したように本発明の読取・印刷装置の原稿トレイは、用紙サイドガイドを原稿トレイに設けたので、小型化することができ、手差し用紙の用紙サイズに応じて印刷機構に案内できるという効果を奏する。用紙サイドガイドを原稿載置面と反対側に設けると、更に小型化できる。また、用紙サイドガイドに用紙面ガイドを形成すると、手差しトレイを設けることなく、小型化が可能になる。
【図面の簡単な説明】
【図１】本発明の一実施形態としての読取・印刷装置を断面で示す概略構成図である。
【図２】本実施形態の読取・印刷装置の外形を示す斜視図である。
【図３】本実施形態の用紙サイドガイドの拡大斜視図である。
【図４】手差し口の他の実施形態を示す拡大斜視図である。
【図５】第２実施形態としての読取・印刷装置を断面で示す概略構成図である。
【図６】第２実施形態の読取・印刷装置の外形を示す斜視図である。
【図７】第２実施形態の用紙サイドガイドの拡大斜視図である。
【符号の説明】
１…読取・印刷装置    ２…本体ケース
４…印刷機構          ６…読取機構
１０…給紙トレイ      １２…記録用紙
１４…印刷通路        １６…供給ローラ
２２…印刷ドラム      ３４，１０４…原稿トレイ
３４ａ，１０４ａ…原稿載置面
３４ｂ…非原稿載置面  ３６…原稿
３８…読取通路        ４０…セパレイションローラ
５０…イメージセンサ
５２，５４，１００，１０２…原稿ガイド
５６…連動機構        ５８…歯車
６０，６２…ラック部材
６４…手差し口        ６６…手差し用紙
６８…手差しトレイ
７０，７２，１０６，１０８…用紙サイドガイド
１１０…用紙面ガイド
【図１】
2004166142.tif 000003
【図２】
2004166142.tif 000004
【図３】
2004166142.tif 000005
【図４】
2004166142.tif 000006
【図５】
2004166142.tif 000007
【図６】
2004166142.tif 000008
【図７】
2004166142.tif 000009